(57)【要約】【課題】直座り・椅子座りの使用方法に関わらず、ユーザーが意識することなく、最適な温度制御を実現する面状採暖具を提供する。【解決手段】使用者が面状採暖具本体１に直座りで使用する直座り形態と椅子に腰掛けて使用する椅子座り形態のいずれかに応じた信号を出力する人体検知センサとして使用する焦電型センサ２と、焦電型センサ２の人体検知信号に応じて温度設定手段１０の低から高の温度範囲を、直座り形態では低い方へ、椅子座り形態では高い方へ切り替える面状採暖具使用形態切替手段１０１を備え、使用者が意識することなく面状採暖具自体が設定することにより使い勝手のよい面状採暖具を提供できる。【選択図】図３
2011141094.tif 000002
【特許請求の範囲】
【請求項１】
面状採暖具本体に複数のゾーンに配設された発熱体と、
前記発熱体は前記各ゾーンとも複数の発熱体からなり、
前記発熱体により加熱されて暖まる前記面状採暖具本体の設定温度を低から高の範囲を複数段階に設定できる温度設定手段と、
前記発熱体により暖める前記ゾーンを設定する暖房ゾーン設定手段と、
前記面状採暖具本体の温度を検出する温度検出手段と、
前記温度検出手段にて検出した温度と前記温度設定手段の設定温度に基づき発熱体への通電を制御し、前記面状採暖具本体の温度が前記設定温度になった時に発熱体への通電を停止する制御部と、
前記面状採暖具本体上の人体を検知する人体検知センサと
を備え、
前記制御部は、前記人体検知センサからの信号により使用者が面状採暖具本体に直座りで使用する直座り形態か椅子に腰掛けて使用する椅子座り形態かのいずれであるかを判別する使用形態判別手段と、
前記使用形態判別手段により判別された使用形態に応じて前記面状採暖具本体の設定温度を切り替える使用形態温度切替手段と
を備え、
前記使用形態温度切替手段は、前記発熱体に供給する昇温時の電力を、前記直座り形態では小さくなり前記椅子座り形態では大きくなるように切り替える面状採暖具。
【請求項２】
前記使用形態温度切替手段は、前記暖房ゾーン設定手段で設定されたゾーンの前記複数の発熱体を、前記直座り形態では直列接続になり、前記椅子座り形態では並列接続となるように切り替える請求項１に記載の面状採暖具。
【請求項３】
前記各ゾーンにおける前記複数の発熱体は、互いに近接して設けられ通電方向が逆向きとした請求項１または２に記載の面状採暖具。
【請求項４】
前記各ゾーンにおける前記複数の発熱体は、２本の発熱体を捻り合わせた構成の請求項３に記載の面状採暖具。
【請求項５】
前記人体検知センサは、焦電型センサ１個を使用し、直座り形態と椅子座り形態による使用者から得られる赤外線放射面積の差異で直座り形態と椅子座り形態で異なる人体検知信号を出力する請求項１〜４のいずれか１項に記載の面状採暖具。
【請求項６】
前記人体検知センサは、焦電型センサ２個を使用して一方は面状採暖具本体上に、他方は面状採暖具本体を遠隔制御する壁掛けリモコンにそれぞれ設け、面状採暖具使用形態切替手段は、２個の前記焦電型センサから人体検知の信号が入ったときには椅子座り形態と判定し、面状採暖具本体上の前記焦電型センサから人体検知の信号が入ったときには直座り形態と判定する請求項１〜４のいずれか１項に記載の面状採暖具。
【発明の詳細な説明】
【技術分野】
【０００１】
本発明は面状採暖具に関するものである。
【背景技術】
【０００２】
従来、この種の面状採暖具においては、省エネルギー志向の高まりに伴い無駄な電力消費を省かれるよう様々な工夫がなされている。特に近年では、面状採暖具上に人が居ないときの無駄な電力消費を省くための工夫がなされている。
【０００３】
例えば、面状採暖具上の人の在、不在を検出し、不在の場合は面状採暖具への電力供給を停止している（例えば、特許文献１参照）。また、面状採暖具上の人の不在が一定時間以上継続した場合に表面温度を下げ、さらに不在が継続した場合には面状採暖具への電力供給を停止しているものもある（例えば、特許文献２参照）。
【０００４】
図９は、前記特許文献２に記載された従来の面状採暖具を示すものである。図９に示すように、カーペット本体を暖める発熱線１１０の温度に応じてインピーダンスが変化する感熱線１１１の抵抗変化に基づく電圧と、使用者の調節した温度に対応する基準電圧を比較回路１１２で比較する。そして、前記電圧が下限温度の基準電圧より低い時の比較回路１１２からの出力を受けて、制御部１１３が通電制御部１１４を介して発熱線１１０を通電に制御し、また、前記電圧が上限温度の基準電圧より高い時の比較回路１１２からの出力を受けて、制御部１１３が通電制御部１１４を介して発熱線１１０を非通電に制御して、使用者の調節した温度にカーペット本体を暖める構成にしてある。
【０００５】
さらに、制御部１１３は人検出部１１５からのカーペット本体上の人の在を検出した信号が途切れ、図１０に示すようにタイマー１１６が時間ｔ１を経過しても在信号がないと、通電制御部１１４を介して発熱線１１０の通電率を下げ節電温度に下げ、タイマー１１６が時間ｔ２を経過しても人検出部１１５からの人の在信号がないときには、通電制御部１１４を介して発熱線１１０の通電を停止する。
【０００６】
また、通電停止後または節電温度中にカーペット本体上に人が戻れば、人検出部１１５からの在信号を受けた制御部１１３は、通電制御部１１４を介して発熱線１１０に通電を再開し、通常の設定温度の制御を行う構成である。このように図９や図１０に示す前記従来の構成は、省エネを目的とした構成である。
【先行技術文献】
【特許文献】
【０００７】
【特許文献１】特開２０００−３５６３６０号公報
【特許文献２】特開平７−３１８０９１号公報
【発明の概要】
【発明が解決しようとする課題】
【０００８】
近年ヒータ上にカバー（繊維状の敷物）を載せずに、表面材が塩ビなどのシートで構成されたヒータ単体で採暖使用するカーペットが、ユーザーに好まれてきている。このカーペットの主な使用方法は、カーペット上にテーブルと椅子を置いて使用すること（以降は、椅子座りと記載する）を目的として開発されたのであるが、昨今の清潔志向の高まりにより清潔な（繊維ではない）シート状の表面材に直接座って（以降は、直座りと記載する）使用される場面が多く発生してきている。
【０００９】
椅子座りとして使用する場合は、輻射熱と対流熱により採暖するために、表面温度は５０℃付近で使用するのが良いことが解っている。ところが直座りで使用するときは、衣服を介してではあるが、直接カーペットの表面材に人体を接触して採暖するために、体温に近い３７℃付近で使用すると快適であることが解っている。
【００１０】
しかしながら、図９や図１０に示したような前記従来の面状採暖具においては、ユーザーが椅子座りと直座りの使用方法を交互に行う場合は、その都度、設定温度を切り替えなければならず不便であるという課題を有していた。
【００１１】
本発明は、前記従来の課題を解決するもので、面状採暖具の使用方法に関わらず、ユーザーが意識することなく、最適な使用温度を実現する面状採暖具を提供することを目的とする。
【課題を解決するための手段】
【００１２】
前記課題を解決するために、本発明の面状採暖具は、人体検知センサの信号を使用形態判別手段が直座りの使用の形態と椅子座りの使用の形態を判別し、使用形態温度切替手段によって、面状採暖具が自動的に使用の形態にあった最適な設定温度に表面温度を設定するようにしたものである。
【００１３】
これによって、ユーザーが意識して表面温度を夫々の使用形態に合わせて設定しなくても、快適な設定温度に設定されるため、わずらわしい操作も必要なく最適な採暖を得ることができる。
【発明の効果】
【００１４】
本発明の面状採暖具は、ユーザーがわずらわしい操作をすることなく最適な採暖をユーザーに与えることができる。
【図面の簡単な説明】
【００１５】
【図１】本発明の実施の形態１における面状採暖具の上で直座り使用している斜視図
【図２】本発明の実施の形態１における面状採暖具の上で椅子座り使用している斜視図
【図３】本発明の実施の形態１における面状採暖具の平面図
【図４】本発明の実施の形態１におけるＡヒータ８（Ｃヒータ８Ｅ）とＢヒータ９（Ｄヒータ９Ｆ）への電力を制御するコントローラ１０の主回路部分（椅子座り用の通電状態を示す）の回路図
【図５】本発明の実施の形態１におけるＡヒータ８（Ｃヒータ８Ｅ）とＢヒータ９（Ｄヒータ９Ｆ）への電力を制御するコントローラ１０の主回路部分（直座り用の通電状態を示す）の回路図
【図６】本発明の実施の形態１における直座り時の投入電力の違いによる表面温度の挙動を表すグラフ
【図７】本発明の実施の形態２における面状採暖具の上で直座り使用している状態を横から見た側面図
【図８】本発明の実施の形態２における面状採暖具の上で椅子座り使用している状態を横から見た側面図
【図９】従来の面状採暖具の制御ブロック図
【図１０】従来の面状採暖具における人の在、不在と面状採暖具の表面温度の関係図
【発明を実施するための形態】
【００１６】
第１の発明は、
面状採暖具本体に複数のゾーンに配設された発熱体と、
前記発熱体は前記各ゾーンとも複数の発熱体からなり、
前記発熱体により加熱されて暖まる前記面状採暖具本体の設定温度を低から高の範囲を複数段階に設定できる温度設定手段と、
前記発熱体により暖める前記ゾーンを設定する暖房ゾーン設定手段と、
前記面状採暖具本体の温度を検出する温度検出手段と、
前記温度検出手段にて検出した温度と前記温度設定手段の設定温度に基づき発熱体への通電を制御し、前記面状採暖具本体の温度が前記設定温度になった時に発熱体への通電を停止する制御部と、
前記面状採暖具本体上の人体を検知する人体検知センサと
を備え、
前記制御部は、前記人体検知センサからの信号により使用者が面状採暖具本体に直座りで使用する直座り形態か椅子に腰掛けて使用する椅子座り形態かのいずれであるかを判別する使用形態判別手段と、
前記使用形態判別手段により判別された使用形態に応じて前記面状採暖具本体の設定温度を切り替える使用形態温度切替手段と
を備え、
前記使用形態温度切替手段は、前記発熱体に供給する昇温時の電力を、前記直座り形態では小さくなり前記椅子座り形態では大きくなるように切り替える面状採暖具とすることにより、
暖房ゾーン設定手段により必要な領域だけ暖房することができ、面状採暖具本体上の人体を検知する人体検知センサからの信号によって、使用者が面状採暖具本体に直座りで使用する直座り形態か椅子に腰掛けて使用する椅子座り形態かのいずれであるかを、制御部の使用形態判別手段が判別して、その判別された使用形態に応じて、同じく制御部の使用形態温度切替手段が面状採暖具本体の設定温度を自動的に切り替えるように作用して、使用者が意識して表面温度を夫々の使用形態に合わせて設定しなくとも、快適な設定温度に設定されるため、わずらわしい操作も必要なく最適な採暖を得ることができる。
【００１７】
この場合、直座りの使用の形態と椅子座りの使用の形態を人体検知センサからの信号によって使用形態判別手段が判別して、使用形態温度切替手段は、直座り使用時は、発熱体に供給する昇温のための電力を、椅子座り使用時に発熱体に供給する昇温のための電力よりも小さくなるように作用する。
【００１８】
まず、面状採暖具本体の温度が設定温度になったことを温度検出手段にて検出されると、発熱体への通電が停止（ＯＦＦ）され、面状採暖具本体の温度が設定温度から所定温度低下すると再度発熱体に通電（ＯＮ）され、面状採暖具本体の温度が設定温度に到達するように繰り返され、この面状採暖具本体の温度が設定温度から所定温度低下後、再度、発熱体に供給される電力が、直座り使用時は、発熱体に供給する昇温のための電力を椅子座り使用時に発熱体に供給する昇温のための電力よりも小さくなるように作用するので、再通電されて設定温度に到達するまでの時間が長くなり（ＯＮ時間が長い）ＯＮ−ＯＦＦの頻度が少なくなり、直座り使用時のように面状採暖具本体の表面への身体の密着面積が多く、面状採暖具本体の表面の寒暖に敏感な使用形態において、ＯＮ−ＯＦＦの頻度が少なくできることで、面状採暖具本体の表面の寒暖を感じにくい快適な面状採暖具を提供することができる。
【００１９】
第２の発明は、特に第１の発明の使用形態温度切替手段が、前記暖房ゾーン設定手段で設定されたゾーンの前記複数の発熱体を、前記直座り形態では直列接続になり、前記椅子座り形態では並列接続となるように切り替える面状採暖具とすることにより、直座りの使用の形態と椅子座りの使用の形態を人体検知センサからの信号によって使用形態判別手段が判別して、使用形態温度切替手段は、直座り使用時は、前記複数の発熱体が直列接続になることによって、複数の発熱体が並列接続となる椅子座り使用時よりも発熱体の抵抗値
が大きくなるため、同じ電圧が前記複数の発熱体に印加された場合、直座り使用時は、発熱体に供給される昇温のための電力が、椅子座り使用時に発熱体に供給される昇温のための電力よりも小さくなるように作用するものである。
【００２０】
つまり、発熱体に通電して面状採暖具本体の表面温度を昇温する際、直座り使用時に椅子座り使用時よりも発熱体に供給する昇温のための電力を小さくし、ＯＮ−ＯＦＦの頻度が少なくなるようにして面状採暖具本体の表面の寒暖を感じにくく快適にするために、たとえば、発熱体に印加する電圧をインバータ制御や位相制御などのような複雑高価な電圧可変制御や電力可変制御などを必要とせず、発熱体を並列接続か直列接続かに切り替えオンオフ制御する簡単安価な制御により、寒暖を感じにくい快適な面状採暖具を提供することができる。
【００２１】
この場合、複数ゾーンのどのゾーン（領域）とも複数の発熱体を配した構成なので、暖房ゾーン設定手段でどんなゾーン設定がされていても、直座り・椅子座りの使用形態に応じて、複数の発熱体が直列接続および並列接続に自動的に切り替わるように作用する。
【００２２】
第３の発明は、特に第１または第２の発明の各ゾーンにおける前記複数の発熱体を、互いに近接して設けられ通電方向が逆向きとした面状採暖具とすることにより、通電状態時に発熱体の周辺に生じる電磁波の向きが逆方向で互いに近接していることによって打消し合うように作用し、面状採暖具本体上の電磁波を低減でき安心して使用できる面状採暖具を提供することができる。
【００２３】
第４の発明は、特に第３の発明の各ゾーンにおける前記複数の発熱体は、２本の発熱体を捻り合わせた構成の面状採暖具とすることにより、電磁波の低減効果をより高めることができるとともに、捻り合わされることによって２本の発熱体が一体化され、製造過程において１本の発熱体を配設する工数で同時に２本が配設することができる。
【００２４】
第５の発明は、特に第１〜４のいずれか１つの発明の人体検知センサとして、焦電型センサ１個を使用し、直座り形態と椅子座り形態による使用者から得られる赤外線放射面積の差異で直座り形態と椅子座り形態で異なる人体検知信号を出力するものである。
【００２５】
１個の焦電センサを使用し直座り形態と椅子座り形態による使用者から得られる赤外線放射面積の差異で直座り形態と椅子座り形態を判別して表面温度を最適に設定するようにしたことより、使用者が意識して表面温度を夫々の使用形態に合わせて設定しなくとも、面状採暖具の表面温度が快適な設定温度に設定されるため、わずらわしい操作も必要なく最適な採暖を得ることができる。また焦電型センサが１個で済むため、自動的に使用の形態にあった最適な設定温度に設定する手段を、安価に実現できる。
【００２６】
第６の発明は、特に第１〜４のいずれか１つの発明の人体検知センサとして、焦電型センサ２個を使用して一方は面状採暖具本体上に、他方は面状採暖具本体を遠隔制御する壁掛けリモコンにそれぞれ設け、面状採暖具使用形態切替手段は、２個の前記焦電型センサから人体検知の信号が入ったときには椅子座り形態と判定し、面状採暖具本体上の前記焦電型センサから人体検知の信号が入ったときには直座り形態と判定するものである。
【００２７】
焦電型センサ２個を使用して、使用者の使用形態による高さの違いで判別できるため、使用者の直座り形態時と椅子座り形態時の高さに合わせて、壁掛け焦電センサ（リモコン）の高さを任意に設定でき、使用者の直座り時の高さの違いによる誤動作を防止することができる。
【００２８】
以下、本発明の実施の形態について、図面を参照しながら説明する。なお、本実施の形
態によって本発明が限定されるものではない。
【００２９】
（実施の形態１）
図１は、本発明の第１の実施の形態における面状採暖具の使用者が直座りで面状採暖具を使用している斜視図を示すものである。また、図２は、本発明の実施の形態１における面状採暖具の使用者が椅子座りで面状採暖具を使用している斜視図を示すものである。
【００３０】
図１および図２において、１は通電により表面が暖かくなる面状採暖具本体、１０は、面状採暖具１への通電を制御すると共に表面温度設定機能を有する制御部であるコントローラ、２はコントローラ１０に装備されている面状採暖具本体１上の使用者の発する赤外線により、直座りと椅子座りを検知するための人体検知センサである焦電型センサ、３は焦電型センサの赤外線を検知する検知ゾーン、４は直座りしている使用者、５は直座りしている使用者４の赤外線放射検知面積、６は椅子座りしている使用者、７は椅子座りしている使用者６の赤外線放射検知面積である。
【００３１】
図３は、面状採暖具本体１を上方から見た平面図である。図３の右側半分のゾーン（１点鎖線で囲まれた領域）３０Ｒと左側半分のゾーン（２点鎖線で囲まれた領域）３０Ｌのように、面状採暖具本体１の暖房される領域が複数のゾーンに分割されており、各ゾーンにそれぞれ複数のヒータが互いに近接して配設されている。たとえば右側ゾーン３０Ｒでは、Ａヒータ８と、Ｂヒータ９とが互いに近接して蛇行状に配設され、（各ヒータは、図では見えているように記載されているが実際は、面状採暖具本体１の内部に埋設されているので外見上は可視できない。またＡヒータ８，Ｂヒータ９は、それ自体に温度検出手段を有している。）、Ａヒータ８、Ｂヒータ９の端部は、通電を制御すると共に表面温度設定機能等を有する制御部であるコントローラ１０に接続されている。１１は、電力の供給の為の電源コードである。左側ゾーン３０Ｌには、Ｃヒータ８Ｅと、Ｄヒータ９Ｆとが互いに近接して蛇行状に配設されている。
【００３２】
ここで、Ａヒータ８とＢヒータ９、およびＣヒータ８ＥとＤヒータ９Ｆが互いに近接してというのは、発熱体であるＡヒータ８とＢヒータ９、およびＣヒータ８ＥとＤヒータ９Ｆとが、たとえば縄状に捻り合わされて密着したような状態のもの、電線の平行コードのように一体化されたもの、２本のヒータ線が別々であるがその２本の間隔が１０ミリメートル以内となるように並行して配設されたものを意味する。
【００３３】
図４は、制御部であるコントローラ１０の暖房ゾーン設定手段で、右側ゾーン３０Ｒのみ暖房するように設定されている場合におけるＡヒータ８とＢヒータ９への電力を制御するコントローラ１０の主回路部分（最終の出力リレー部分のみ記載しており、詳細な、制御構成は略してある。）の回路図であり、椅子座り状態時（図２）のＡヒータ８とＢヒータ９への電力の供給状態を示している。図４において、１２は、家庭用コンセントに挿入された電源コード１１を通じてコントローラ１０に、電力を供給している電源、１３は、Ａヒータ８への電力の供給経路を構成するリレー、１４も同様の機能を有するリレーである。１５は、Ｂヒータ９への電力の供給経路を構成するリレー、１６も同様の機能を有するリレーである。
【００３４】
なお図示はしていないが、制御部であるコントローラ１０の暖房ゾーン設定手段で、左側ゾーン３０Ｌのみ暖房するように設定されている場合は、図４のＡヒータ８とＢヒータ９で示したヒータが、Ｃヒータ８ＥとＤヒータ９Ｆとに置き換わることになる。
【００３５】
図５は、図４と同様に制御部であるコントローラ１０の暖房ゾーン設定手段で、右側ゾーン３０Ｒのみ暖房するように設定されている場合において、直座り状態時（図１）のＡヒータ８とＢヒータ９への電力の供給状態を示しており、リレー１４とリレー１５の接点
の状態以外は、図４と同じ構成である。
【００３６】
また、左側ゾーン３０Ｌのみ暖房するように設定されている場合は、図５のＡヒータ８とＢヒータ９で示したヒータが、Ｃヒータ８ＥとＤヒータ９Ｆとに置き換わることになる。
【００３７】
図６は、面状採暖具本体１の表面温度を３７℃にした時の、椅子座り状態時（図４）のようにＡヒータ８とＢヒータ９が並列接続で電力供給された場合の表面温度の挙動（実線１７で表している）と、直座り状態時（図５）のＡヒータ８とＢヒータ９が直列接続で電力供給された場合の表面温度の挙動（破線１８で表している）を示すグラフである。なお焦電センサ２は、指向性が高く赤外線検知面積の広さに比例して出力が変化する性能を持つセンサである。
【００３８】
以上のように構成された面状採暖具について、以下その動作、作用を説明する。まず、図１に示すように、使用者４が面状採暖具本体１上に直座りしている場合は、焦電型センサ２の検知ゾーン３の範囲の中で赤外線放射面積５が焦電型センサ２に検知されている。赤外線放射検知面積５は、直座りしている使用者４の胴体を検知しているため広い検知面積を有するので、焦電型センサ２の出力は、大きいものとなる。
【００３９】
次に図２に示すように、使用者６が面状採暖具本体１上に椅子座りしている場合は、焦電型センサ２の検知ゾーン３の範囲の中で赤外線放射検知面積７が焦電型センサ２に検知されている。赤外線放射検知面積７は、椅子座りしている使用者６の足を検知しているため狭い検知面積であるため、焦電型センサ２の出力は、小さいものとなる。
【００４０】
焦電型センサ２の出力が大きく閾値以上で場合は、コントローラ１０内部の使用形態判別手段である判定部が、使用者４が面状採暖具本体１上で直座りしていると判別し、焦電型センサ２の出力が小さく閾値以下である場合は、使用者６が面状採暖具本体１上で椅子座りしているとコントローラ１０内部の使用形態判別手段である判定部が判別する。
【００４１】
直座りしている使用者４が面状採暖具本体１上にいると判別された場合は、コントローラ１０内部の使用形態温度切替手段は、直座りしている使用者４が快適であると考えられている体温に近い３７℃に表面温度を設定する。
【００４２】
また、椅子座りしている使用者６が面状採暖具本体１上にいると判別された場合は、コントローラ１０内部の使用形態温度切替手段は、椅子座りしている使用者６が快適であると考えられている５０℃に表面温度を設定する。
【００４３】
ここで、焦電センサ２により椅子座り使用状態とコントローラ１０が判別した場合は、Ａヒータ８とＢヒータ９への電力の供給方法を、図４の回路で行う構成のため、全てのリレーの可動接点が、ＮＯ（ノーマルオープン）側に接続されていることで、Ａヒータ８とＢヒータ９に各々交流１００Ｖが印加されているので、Ａヒータ８とＢヒータ９が各々４００Ｗとすれば、合計で８００Ｗの電力が面状採暖具本体１に供給される。
【００４４】
次に、焦電センサ２により直座り使用状態とコントローラ１０が判別した場合は、Ａヒータ８とＢヒータ９への電力の供給方法を、図５に示した回路で行う構成のため、リレー１３と１６の可動接点は、ＮＯ（ノーマルオープン）側にリレー１４と１５の可動接点は、ＮＣ（ノーマルクローズ）側に接続されていることで、Ａヒータ８とＢヒータ９は直列に接続される構成となりその直列接続されたＡヒータ８とＢヒータ９に交流１００Ｖが印加されているので、面状採暖具本体１に供給される電力は、８００Ｗの１／４の２００Ｗになる。
【００４５】
ここで、直座り時に表面温度は３７℃に設定されるのであるが、電力の供給方法を、図４の状態で８００Ｗで供給してしまうと、表面温度が椅子座り時設定の５０℃より低い３７℃設定のために、表面温度の挙動が図６のグラフの１７の実線のように、リレー入り後３７℃に達する時間が短くなり（すぐにＯＦＦになる）、ＯＮ−ＯＦＦの頻度が高くなることによって、使用者が表面温度の寒暖を頻繁に感じ、使い勝手が悪いものとなる。
【００４６】
そこで、直座りの場合は、電力の供給方法を、図５の状態の、１／４の２００Ｗで行うと、表面温度の挙動が図６のグラフの１８の破線のように、リレー入り後３７℃に達する時間が長くなり（ＯＮ時間が長い）ＯＮ−ＯＦＦの頻度が少なく、表面の寒暖を感じにくい快適な面状採暖具を提供できる。
【００４７】
また、上記説明では直座りと椅子座りを判定する内容について記述したが、面状採暖具本体１上に使用者が存在しなければ、特許文献１の電力供給停止を行う省エネ機能を付加することもできる。
【００４８】
さらに、制御部であるコントローラ１０の暖房ゾーン設定手段により、面状採暖具本体１の全面を暖房できることは当然ながら、右側半分の右側ゾーン３０Ｒだけ、あるいは左側半分の左側ゾーン３０Ｌだけの必要な領域だけ暖房するといったように電気エネルギーを節約する暖房ができるとともに、面状採暖具本体１上の人体を検知する人体検知センサである焦電型センサ３からの信号によって、使用者が面状採暖具本体１に直座りで使用する直座り形態か椅子に腰掛けて使用する椅子座り形態かのいずれであるかを、制御部であるコントローラ１０の使用形態判別手段が判別して、その判別された使用形態に応じて、同じく制御部であるコントローラ１０の使用形態温度切替手段が面状採暖具本体の設定温度を自動的に切り替えるように作用して、使用者が意識して表面温度を夫々の使用形態に合わせて設定しなくとも、快適な設定温度に設定されるため、わずらわしい操作も必要なく最適な採暖を得ることができる。
【００４９】
なお、本実施の形態において、制御部であるコントローラ１０の暖房ゾーン設定手段により設定される暖房ゾーンは、右側半分の右側ゾーン３０Ｒと、左側半分の左側ゾーン３０Ｌおよびその両方の全面である場合について説明したが、暖房ゾーンは面状採暖具本体１を３つに分割、あるいは４つ以上の多分割にするなど、さらに各ゾーンの面積も等分や不等分にするなど、いずれにした場合でも同様の効果を得ることができる。
【００５０】
以上のように本実施の形態においては、制御部であるコントローラ１０の使用形態温度切替手段が、同じく制御部であるコントローラ１０の暖房ゾーン設定手段で設定されたゾーン３０Ｒ，３０Ｌの複数の発熱体８と９，８Ｅと９Ｆを、直座り形態では直列接続になり、椅子座り形態では並列接続となるように切り替える面状採暖具とすることにより、直座りの使用の形態と椅子座りの使用の形態を人体検知センサである焦電型センサ３からの信号によって、制御部であるコントローラ１０の使用形態判別手段が判別して、制御部であるコントローラ１０の使用形態温度切替手段は、直座り使用時は、複数の発熱体８と９，８Ｅと９Ｆが直列接続になることによって、複数の発熱体８と９，８Ｅと９Ｆが並列接続となる椅子座り使用時よりも発熱体の抵抗値が大きくなるため、同じ電圧が複数の発熱体８と９，８Ｅと９Ｆに印加された場合、直座り使用時は、発熱体に供給される昇温のための電力が、椅子座り使用時に発熱体に供給される昇温のための電力よりも小さくなるように作用する。
【００５１】
つまり、発熱体に通電して面状採暖具本体の表面温度を昇温する際、直座り使用時に椅子座り使用時よりも発熱体に供給する昇温のための電力を小さくし、ＯＮ−ＯＦＦの頻度が少なくなるようにして面状採暖具本体の表面の寒暖を感じにくく快適にするために、た
とえば、発熱体に印加する電圧をインバータ制御や位相制御などのような複雑高価な電圧可変制御や電力可変制御などを必要とせず、発熱体を並列接続か直列接続かに切り替えオンオフ制御する簡単安価な制御により、寒暖を感じにくい快適な面状採暖具を提供することができる。
【００５２】
この場合、複数ゾーン３０Ｒ，３０Ｌのどのゾーン（領域）とも複数の発熱体８と９，８Ｅと９Ｆを配した構成なので、暖房ゾーン設定手段でどんなゾーン設定がされていても、直座り・椅子座りの使用形態に応じて、複数の発熱体が直列接続および並列接続に自動的に切り替わるように作用する。
【００５３】
また焦電型センサが１個で済むため、自動的に使用の形態にあった最適な設定温度に設定する手段を、安価に実現できる。
【００５４】
さらに、直座りの使用の形態と椅子座りの使用の形態を人体検知手段によって判断して、直座り使用時は、椅子座り使用時の消費電力を１／４の２００Ｗとしたので、リレー入り後３７℃に達する時間が長くなり（ＯＮ時間が長い）ＯＮ−ＯＦＦの頻度が少なく、表面の寒暖を感じにくい快適な面状採暖具を提供できる。
【００５５】
また、各ゾーン３０Ｒ，３０Ｌにおける複数の発熱体８と９，８Ｅと９Ｆを、互いに近接して設けられ通電方向が逆向きとした面状採暖具とすることにより、通電状態時に発熱体８と９，８Ｅと９Ｆの周辺に生じる電磁波の向きが逆方向で互いに近接していることによって打消し合うように作用し、面状採暖具本体上の電磁波を低減でき安心して使用できる面状採暖具を提供することができる。
【００５６】
特に各ゾーン３０Ｒ，３０Ｌにおける複数の発熱体８と９，８Ｅと９Ｆは、２本の発熱体８と９，８Ｅと９Ｆを捻り合わせた構成の面状採暖具とすることにより、電磁波の低減効果をより高めることができるとともに、捻り合わされることによって２本の発熱体８と９，８Ｅと９Ｆが一体化され、製造過程において１本の発熱体を配設する工数で同時に２本が配設することができる。
【００５７】
（実施の形態２）
図７は、本発明の第２の実施の形態における面状採暖具の使用者が直座りで面状採暖具を使用している状態を横から見た図を示すものである。また、図８は、本発明の実施の形態２における面状採暖具の使用者が椅子座りで面状採暖具を使用している状態を横から見た図を示すものである。
【００５８】
図７および図８において、１は通電により表面が暖かくなる面状採暖具本体、４は直座りしている使用者、６は椅子座りしている使用者、１９は面状採暖具１上から約２０cm付近の赤外線を検知する焦電型センサ下、２０は、焦電型センサ下１９が赤外線を検知する検知ゾーン下、２１は、部屋の壁、２４は、部屋の壁２１に取り付けられ、温度設定等他の操作ボタンを具備し操作ボタンの操作内容をコントローラ１０と相互に通信できる機能を備えたリモコン、２２は、リモコン２４に装備され面状採暖具本体１上から約１００cm付近の赤外線を検知する焦電型センサ上、２３は、焦電型センサ上２２が赤外線を検知する検知ゾーン上である。
【００５９】
以上のように構成された面状採暖具について、以下その動作、作用を説明する。
まず図７のように、直座りしている使用者４が面状採暖具本体１上に存在する場合は、焦電型センサ下１９が赤外線を検知する検知ゾーン下２０の検知範囲に直座りしている使用者４が位置するために、直座りしている使用者４からの赤外線を検知している。しかし壁２１に取り付けられたリモコン２４に装備されている面状採暖具本体１上から約１００cm
付近の赤外線を検知する焦電型センサ上２２は、焦電型センサ上２２が赤外線を検知する検知ゾーン上２３の検知範囲には直座りしている使用者４は存在しないため、焦電型センサ上２２は直座りしている使用者４からの赤外線を、検知しない。
【００６０】
以上のように、焦電センサ下１９は赤外線を感知し、リモコン２４に装備されている、焦電センサ上２２は、検知しない。リモコン２４は、この情報を通信機能を用いてコントローラ１０に送信する。コントローラ１０は、焦電センサ下１９と焦電センサ上２２の信号から使用者が直座りであることを認識して、実施の形態１と同様の制御を行う。
【００６１】
次に図８のように椅子座りしている使用者６が面状採暖具本体１上に存在する場合は、焦電型センサ下１９が赤外線を検知する検知ゾーン下２０の検知範囲に椅子座りしている使用者６が位置するために焦電センサ下１９は、椅子座りしている使用者６からの赤外線を検知している。
【００６２】
また壁２１に取り付けられて面状採暖具本体１上から約１００cm付近の赤外線を検知する焦電型センサ上２２の、焦電型センサ上２２が赤外線を検知する検知ゾーン上２３の検知範囲にも椅子座りしている使用者６は存在するため、焦電型センサ上２２は椅子座りしている使用者６からの赤外線を検知している。
【００６３】
以上のように、焦電センサ下１９は赤外線を感知し、リモコン２４に装備されている、焦電センサ上２２も、赤外線を検知している。リモコン２４は、この情報を通信機能を用いてコントローラ１０に送信する。コントローラ１０は、焦電センサ下１９と焦電センサ上２２の信号から使用者が椅子座りであることを認識して、実施の形態１と同様の制御を行う。ここでは、焦電型センサ上２２の高さを面状採暖具本体１上から約１００cm付近としたが、この高さは、椅子座りしている使用者６の身長に合わせて設定することでより正確な直座りと椅子座りの判断を行う事ができる。
【００６４】
なお、本使用の焦電センサ下１９と焦電センサ上２２は、実施の形態１のセンサと違い赤外線検知面積の広さに比例して出力が変化する性能は必要なく、赤外線の有無が判定できる程度の機能を有する安価なセンサで十分本実施の形態２を構築できる。
【００６５】
以上のように、本実施の形態においては、直座りの使用の形態と椅子座りの使用の形態を２つの焦電センサによって判断し、面状採暖具が自動的に使用の形態にあった最適な設定温度に設定するようにすることにより、使用者が意識して表面温度を夫々の使用形態に合わせて設定しなくとも、快適な設定温度に設定されるため、わずらわしい操作も必要なく最適な採暖を得ることができる。
【００６６】
さらに、直座りの使用の形態と椅子座りの使用の形態を人体検知手段によって判断して、直座り使用時は、椅子座り使用時の消費電力を１／４の２００Ｗとしたので、リレー入り後３７℃に達する時間が長くなり（ＯＮ時間が長い）ＯＮ−ＯＦＦの頻度が少なく、表面の寒暖を感じにくい快適な面状採暖具を提供できる。
【００６７】
なお、前記各実施の形態において、人体検知センサが焦電型センサである場合について説明したが、焦電型センサに限られるものではなく、いわゆるカメラセンサ（撮像素子センサ）を用いたものや、面状採暖具本体に感圧センサを内蔵したものなど、直座り形態と椅子座り形態とで異なる信号が得られる人体検知センサであれば同様の作用効果を得ることができる。
【産業上の利用可能性】
【００６８】
以上のように、本発明にかかる面状採暖具は、人体検知手段で使用者の使用状態を判断
して最適な表面温度に設定するために、使用者に設定の手間を煩わすことがない快適な面状採暖具が提供できるので、他の暖房器具等の用途にも適用できる。
【符号の説明】
【００６９】
２  焦電センサ（人体検知センサ）
８  Ａヒータ（発熱体）
９  Ｂヒータ（発熱体）
８Ｅ  Ｃヒータ（発熱体）
９Ｆ  Ｄヒータ（発熱体）
１０  コントローラ（制御部）
１９  焦電センサ下
２２  焦電センサ上（リモコン機能を有している）
３０Ｌ  ゾーン
３０Ｒ  ゾーン
【図３】
2011141094.tif 000003
【図４】
2011141094.tif 000004
【図５】
2011141094.tif 000005
【図６】
2011141094.tif 000006
【図７】
2011141094.tif 000007
【図１】
2011141094.tif 000008
【図２】
2011141094.tif 000009
【図８】
2011141094.tif 000010
【図９】
2011141094.tif 000011
【図１０】
2011141094.tif 000012